(57)【特許請求の範囲】
【請求項１】
粒径が４〜６ｍｍ、硬さが５００〜１５００ｇ／粒の機械的性質を有するストックのコート種子を播種し、発芽後、苗の生育性に基づき八重咲き株と一重咲き株との鑑別を行うことを特徴とするストックの八重鑑別法。
【発明の詳細な説明】
【０００１】
【発明の属する技術分野】
本発明はストックの八重鑑別法に関するものである。
【０００２】
【従来の技術】
切花としてのストックは昔から栽培され消費者に好まれている花の一つである。しかし鑑別種子からの八重咲き株の苗の鑑別がむずかしく、無鑑別種子（オールダブル）の使用が増えている。
だが、花の品質や栽培管理を考慮すると、必ずしも無鑑別種子からの切花が優れているとは限らず、まだまだ八重鑑別を必要とする品種が好まれている。
従来のストックの八重鑑別法は葉の色、葉の形状、苗の大きさ等を総合的に判断し、八重咲き株の苗を鑑別する方法がとられている。すなわち葉が黄緑で、子葉が長くまた大きい苗が八重咲き株の可能性が高いと言われている。
【０００３】
しかし、上述の主観的な方法でストックの八重鑑別を行う方法はストックの品種や栽培管理等によっても異なり、かなり経験を要する作業である。また経験の浅い人には極めてむずかしい作業であり、八重咲き率はかなり低くなる。
そこで、八重咲き株のみ栽培する方法としてメリクロン苗による方法も提案されているが、ストックの切花単価が安い為技術的には完成されているが、苗代が高くなり普及を妨げている。
従って、ストックの幼苗の段階で初心者でも容易に八重鑑別が出来、より客観的な方法で、且つ八重咲き率が高くなるストックの八重鑑別法が求められている。
【０００４】
【発明が解決しようとする課題】
本発明はこれらの課題を鑑みてなされたもので、ストックの八重鑑別が容易に出来る八重鑑別法に関するものである。
【０００５】
【課題を解決するための手段】
上述の問題点を解決するため、本発明者らは従来のストック八重鑑別法の経験を生かし、更に八重咲き率の精度を向上させる方法につき鋭意検討した結果、ストックの八重咲き株は品種にかかわらず一重咲き株に比べ発芽が早く、生育が優れている点に着目した。
すなわち、ある特定の機械的性質（粒径及び硬さ）を有するコーティング加工されたコート種子を用いて播種し、発芽時に適度なストレスを与えることにより、従来に比べ一重咲き株は発芽及び苗の生育を著しく遅らせることが出来る。本発明の方法により、従来法より更に精度よく八重鑑別が可能になり本発明を完成させた。
【０００６】
【発明の実施の形態】
本発明の具体的な方法は、市販されているストックの鑑別種子は八重と一重が約１／２づつの割合で含まれていると言われている為、圃場にコート種子を播種する場合は、一箇所に４粒播種し、コート種子が見えなくなる程度に軽く覆土する。発芽が確認できるまで十分に潅水する。発芽後はやや潅水を控え、苗が徒長しないように日常管理を行う。
播種後１０〜１４日目に従来の八重鑑別法である葉の色、葉の形、子葉の長さ及び本発明の方法である苗の生育性（八重咲き株と一重咲き株との間に著しい生育の差が生じ、一重咲き株は生育が劣るため小さい。八重鑑別の経験が少なくても、一見して容易に一重咲き株を間引くことができる）を考慮し、１箇所当たり正確に八重咲き株を一本残すことができる。
【０００７】
本発明に用いるストックのコート種子は公知の方法及び公知の材料で製造可能である。ある特定の機械的性質（粒径及び硬さ）を有するコート種子を用いることにより本発明の目的を達成することができる。
すなわち、本発明に用いるストックのコート種子とは、粒径（大きさ）は品種により最適粒径は異なるが、３〜８ｍｍがよく、好ましくは４〜６ｍｍが良い。３ｍｍ以下の場合には、ストックの元種子の大きさから考えコート層が薄い為取扱いや播種時にコート種子が割れを生じ、トラブルの原因となる。また８ｍｍ以上の場合にはストックの種子の大きさに比べコート層が厚くなる為発芽不良やコーティング加工の能率が悪く好ましくない。
また、本発明に用いるストックのコート種子の硬さは品種によってことなるが、３００〜１５００ｇ／粒がよく、好ましくは５００〜１０００ｇ／粒が良い。硬さが３００粒以下の場合には、本発明の必須条件である発芽時に与える種子へのストレスが小さくなり、八重咲き株と一重咲き株との間に生育差が現れにくいので本発明の目的が達成できない。一方、１５００ｇ／粒以上の硬さになると、発芽時に与える種子へのストレスが大き過ぎる為、発芽不良や生育不良が生じるので好ましくない。
以下、実施例及び比較例を挙げ発明実施の具体例及び効果につき記述するが、本発明はこれらの実施例に限定されるものではない。
【０００８】
【実施例１】
発芽率９８％の雪波２００ｍｌをコーティング装置に入れ、コーティング材として、珪藻土４０重量％、クレー６０重量％をよく混合したものを用いた。バインダーとして、０．１重量％ポリビニールアルコール水溶液を用いて、コート種子の粒径が約５ｍｍになるまで造粒コーティングを行い、引き続き３５℃で２０時間乾燥を行った。
このようにして得られたコート種子について、その機械的性質及び八重鑑別試験を行った結果を第１表に示す。
【実施例２】
発芽率１００％の朝波２００ｍｌを用いた以外は実施例１と同様な方法で行い、得られたコート種子について、その機械的な性質及び八重鑑別試験を行った結果を第１表に示す。
【実施例３】
発芽率の９８％の雪波２００ｍｌを用いて、コーティング材として珪藻土１０重量％、クレー８０重量％及びベントナイト１０重量％をよく混合してものを用いた。バインダーとして、０．３重量％ポリビニールアルコール水溶液を用いて、コート種子の粒径が約５ｍｍになるまで造粒コーティングを行い、引き続き３５℃で２０時間乾燥を行った。
【０００９】
【比較例１】
発芽率の９８％の雪波（元種子）を用いて、八重鑑別試験を行った結果を第１表に示す。
【比較例２】
実施例１と同様であるが、コート種子の粒径が約２．５ｍｍになるまで造粒コーティングを行った。このようにして得られたコート種子について、その機械的性質及び八重鑑別試験を行った結果を第１表に示す。
【比較例３】
実施例３と同様であるが、コート種子の粒径が約９ｍｍになるまで造粒コーティングを行った。このようにして得られたコート種子について、その機械的性質及び八重鑑別試験を行った結果を第１表に示す。
【００１０】
（コート種子の粒径及び硬さの測定法）
コート種子をランダムに２０個選び、ノギスで各々の最大寸法を測定し、その平均値を計算で求める。
硬さも同様に２０個選び、木屋式硬度測定器で各々の硬さを測定し、その平均値を計算で求める。
【００１１】
（ストックの発芽率測定法）
播種したストック種子の粒数に対して、７日後に発芽した本数を調査し、発芽率を計算で求める。
発芽率（％）＝（発芽した本数）／（播種した粒数）＊  １００
【００１２】
（ストックの八重鑑別法）
予め篩でこした１ｍｍ以下の畑土を１２８穴のプラグトレーに詰め、実施例及び比較例で得られたストックの元種子またはコート種子を用いて、４粒／穴づつ播種し、種子が見えなくなる程度に畑土で覆土する。
発芽が確認できるまで十分に潅水する。播種後約１４日前後を目安に八重鑑別（葉が黄緑で、子葉が長く、且つ生育が優れている株）を行い。八重咲き株と思われる株を１本／穴に残す。本葉が３対程度に生育したら圃場に定植する。約１００日後に開花調査を行い、八重咲き率を計算で求める。
八重咲き率（％）＝（八重咲きの本数）／（開花の本数）＊  １００
注）比較例１の元種子の場合はコート種子を用いた場合と播種条件がほぼ同じになるよう心掛け、覆土をやや厚くした。
【００１３】
【第１表】
0004004257.tif 000002
【００１４】
【発明の効果】
ストックの栽培で一つの問題点は八重鑑別といえる。この作業の不要な品種（オールダブル）もあるが数は少なく、未だ大半のものは八重鑑別を必要とする品種である。
以上のように本発明の方法によると、ある特定の粒径と硬さを有するストックのコート種子を用いることにより、従来の八重鑑別法に比べより一層客観的な方法（八重咲き株は一重咲き株より生育が速い）で八重咲き株を鑑別できる。
従って、本発明の方法によると八重鑑別の作業はあまり熟練を必要とせず八重咲き率を著しく向上させることが可能になった。